(57)【要約】【課題】ボトル商品の重量や底面の摩擦係数に拘らず、ボトル商品を収容ラックから回転バケットに円滑に移動させることができ、しかも収容ラックへのボトル商品の装填を容易に行うことのできるボトル商品の自動販売機を提供する。【解決手段】スライダー２０上のボトル商品Ａを当接部材４０によって前方に向かって付勢することができるので、ボトル商品Ａを収容ラック１０から回転バケット３０に円滑に移動させることができる。また、当接部材４０はスライダー２０に幅方向に係合しており、スライダー２０は収容ラック１０に対して幅方向に位置決めされているので、当接部材４０が収容ラック１０の仕切板１４または側面板１１に接触することがない。このため、当接部材４０の操作性の悪化を防止することができ、収容ラック１０に商品を収容する際の当接部材４０の後方への移動が円滑に行われる。【選択図】図４
2007286748.tif 000002
【特許請求の範囲】
【請求項１】
前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記当接部材が収容ラックと接触しないようにスライダーを収容ラックに対して幅方向に位置決めする位置決め手段を備えた
ことを特徴とするボトル商品の自動販売機。
【請求項２】
前記位置決め手段を、スライダーの前端側の両側面から幅方向外側に向かって突出する一対の幅方向突出部と、スライダーの後端から後方に向かって延びる後方突出部とから形成し、
各突出部が収容ラックに幅方向に係止することにより、スライダーが収容ラックに対して幅方向に位置決めされるように構成した
ことを特徴とする請求項１記載のボトル商品の自動販売機。
【請求項３】
前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記当接部材が最後尾のボトル商品に後方から当接すると、当接部材の上端側とボトル商品との間に所定の隙間が設けられるように構成した
ことを特徴とするボトル商品の自動販売機。
【請求項４】
前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置にまで回転させると、回転バケット内のボトル商品が前方に搬出されるボトル商品の自動販売機において、
前記当接部材に、スライダーの上端面に上方から係合する上側係合部と、スライダーの下端面に下方から係合する下側係合部とを設け、
上側係合部の後端と下側係合部の前端との前後方向の距離がその上下方向の距離よりも大きくなるように構成した
ことを特徴とするボトル商品の自動販売機。
【請求項５】
前記当接部材を、前記最後尾のボトル商品に当接する面よりも下側係合部の前端の方が前方に位置するように形成した
ことを特徴とする請求項４記載のボトル商品の自動販売機。
【請求項６】
前面を開口した自動販売機本体と、自動販売機本体に前方に向かって引き出し可能に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記当接部材を収容ラックの下方から操作可能に構成した
ことを特徴とするボトル商品の自動販売機。
【請求項７】
前記当接部材に、把持する位置を触感で確認可能な把持位置表示部を設けた
ことを特徴とする請求項１、２、３、４、５または６記載のボトル商品の自動販売機。
【請求項８】
前記把持位置表示部を、当接部材の所定の面を凹状または凸状に形成することにより設けた
ことを特徴とする請求項７記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体に前方に向かって引き出し可能に装着され、複数のボトル商品を起立状態で前後方向に並ぶように複数列収容可能な収容ラックと、収容ラックに収容された各ボトル商品を列ごとに仕切り、収容ラック内に複数の商品通路を形成する複数の仕切板と、各商品通路に前後方向に延びるようにそれぞれ設けられるとともに、後端側から前端側に向かって下方に傾斜するように設けられ、収容ラック内に収容された各ボトル商品の底面を前方に向かって移動可能に支持する低摩擦性の材料から成るスライダーと、各商品通路の前方にそれぞれ配置されるように収容ラックに設けられ、周方向の一部に開口部を有する略筒状に形成された複数の回転バケットとを備え、回転バケットを開口部が後方を向く回転方向所定位置に配置すると、商品通路内の各ボトル商品のうち最前のボトル商品が回転バケットに移動し、回転バケットを開口部が前方を向く他の回転方向所定位置まで回転させると、回転バケット内のボトル商品が前方に搬出されるようにしたものが知られている（例えば、特許文献１及び特許文献２参照。）。
【特許文献１】特開２０００−２９３７５２号公報
【特許文献２】特開平９−２７００６２号公報
【発明の開示】
【発明が解決しようとする課題】
【０００３】
ところで、前記自動販売機では、ボトル商品の重量や底面の摩擦係数が商品の種類によって異なるので、摩擦係数の大きいボトル商品の場合はボトル商品が前方に向かって移動し難く、ボトル商品が収容ラックから回転バケットに円滑に移動しないという問題点があった。
【０００４】
そこで、商品通路内に、前後方向に延びるように設けられたガイド部材や商品通路の側壁などによって前後方向に移動可能にガイドされ、商品通路内のボトル商品のうち最後尾のボトル商品に後方から当接可能な当接部材と、当接部材を前方に向かって付勢するバネ等の付勢部材を設ければ、ボトル商品の重量や底面の摩擦係数に拘らず、ボトル商品を収容ラックから回転バケットに円滑に移動させるようにすることも可能である。
【０００５】
しかしながら、当接部材を最後尾のボトル商品に後方から当接させるようにすると、収容ラックにボトル商品を装填する際に当接部材を付勢部材に抗して後方に移動させる必要がある。また、当接部材はガイド部材や商品通路の側壁によってガイドされているが、当接部材が商品通路の側壁に接触していると当接部材を後方に移動させる際の抵抗が大きくなる。このため、当接部材の操作性が悪くなり、ボトル商品の装填に手間がかかるという問題点があった。
【０００６】
また、商品通路内におけるボトル商品の移動を円滑に行うため、当接部材はボトル商品の重心よりも下側を押すように形成されているので、当接部材はボトル商品の高さ寸法よりも小さい高さ寸法を有する。このため、当接部材を後方に移動させる際には、当接部材と最後尾のボトル商品との間に指を入れて当接部材を把持する必要があるので、当接部材の操作性が悪く、ボトル商品の装填に手間がかかるという問題点もあった。
【０００７】
また、当接部材を操作する場合に、ガイド部材と係合している係合部の近傍を把持すると、当接部材を円滑に移動させることができるが、係合部から離れている例えば当接部材の上端側を把持すると、当接部材に曲げモーメントが加わるとともに、曲げモーメントによって係合部がガイド部材に強く押付けられるため、係合部がガイド部材に押付けられる分だけ当接部材の操作性が悪くなり、ボトル商品の装填に手間がかかるという問題点もあった。
【０００８】
さらに、収容ラックが自動販売機本体の上側に設けられている場合は、収容ラックを自動販売機本体から前方に引き出しても当接部材の位置を視認し難く、また、当接部材を操作し難いので、ボトル商品の装填に手間がかかるという問題点もあった。
【０００９】
本発明は前記問題点に鑑みてなされたものであり、その目的とするところは、ボトル商品の重量や底面の摩擦係数に拘らず、ボトル商品を収容ラックから回転バケットに円滑に移動させることができ、しかも収容ラックへのボトル商品の装填を容易に行うことのできるボトル商品の自動販売機を提供することにある。
【課題を解決するための手段】
【００１０】
本発明は前記目的を達成するために、前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記当接部材が収容ラックと接触しないようにスライダーを収容ラックに対して幅方向に位置決めする位置決め手段を備えている。
【００１１】
これにより、当接部材はスライダーに前後方向に移動可能に係合するとともに、付勢部材によって前方に向かって付勢されているので、スライダー上のボトル商品が前方に向かって付勢される。また、当接部材が収容ラックと接触しないように、スライダーが収容ラックに対して幅方向に位置決めされているので、当接部材が収容ラックに接触することによる操作性の悪化を防止することができ、収容ラックにボトル商品を装填する際の当接部材の後方への移動が円滑に行われる。
【００１２】
また、本発明は、前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記当接部材が最後尾のボトル商品に後方から当接すると、当接部材の上端側とボトル商品との間に所定の隙間が設けられるように構成している。
【００１３】
これにより、当接部材はスライダーに前後方向に移動可能に係合するとともに、付勢部材によって前方に向かって付勢されているので、スライダー上のボトル商品が前方に向かって付勢される。また、当接部材が最後尾のボトル商品に後方から当接すると、当接部材の上端側とボトル商品との間に所定の隙間が設けられることから、ボトル商品に当接している状態でも当接部材の上端を容易に把持することができ、収容ラックにボトル商品を装填する際の当接部材の後方への移動が円滑に行われる。
【００１４】
また、本発明は、前面を開口した自動販売機本体と、自動販売機本体内に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置にまで回転させると、回転バケット内のボトル商品が前方に搬出されるボトル商品の自動販売機において、前記当接部材に、スライダーの上端面に上方から係合する上側係合部と、スライダーの下端面に下方から係合する下側係合部とを設け、上側係合部の後端と下側係合部の前端との前後方向の距離が上下方向の距離よりも大きくなるように構成している。
【００１５】
これにより、当接部材はスライダーに前後方向に移動可能に係合するとともに、付勢部材によって前方に向かって付勢されているので、スライダー上のボトル商品が前方に向かって付勢される。また、当接部材の上側係合部がスライダーの上端面に上方から係合するとともに、当接部材の下側係合部がスライダーの下端面に下方から係合し、さらに、上側係合部の後端と下側係合部の前端との前後方向の距離はその上下方向の距離よりも大きくなるように構成されていることから、上側係合部の後端と下側係合部の前端との距離を極力大きくすることができる。このため、例えば当接部材の上端側を把持して当接部材を後方に移動させると、当接部材に曲げモーメントが加わることにより、上側係合部の後端側がスライダーの上端面に押付けられるとともに下側係合部の前端側がスライダーの下端面に押付けられるが、梃子の原理によって上側係合部の後端側及び下側係合部の前端側がスライダーに押付けられる押付力が小さくなる。即ち、上側係合部及び下側係合部が収容ラックに押付けられることによる当接部材の操作性の悪化を防止することができ、収容ラックにボトル商品を装填する際の当接部材の後方への移動が円滑に行われる。
【００１６】
また、本発明は、前面を開口した自動販売機本体と、自動販売機本体に前方に向かって引き出し可能に設けられ、複数のボトル商品を前後方向に並ぶように起立状態で収容可能な収容ラックと、収容ラックに前後方向に延びるように設けられ、収容ラック内に収容された各ボトル商品の底面を前方に向かって移動可能に支持するスライダーと、スライダーに前後方向に移動可能に係合し、スライダー上の各ボトル商品のうち最後尾のボトル商品に後方から当接可能な当接部材と、当接部材を前方に向かって付勢する付勢部材と、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記当接部材を収容ラックの下方から操作可能に構成している。
【００１７】
これにより、当接部材はスライダーに前後方向に移動可能に係合するとともに、付勢部材によって前方に向かって付勢されているので、スライダー上のボトル商品が前方に向かって付勢される。また、収容ラックが自動販売機本体に前方に向かって引き出し可能に設けられ、当接部材は収容ラックの下方から操作可能であることから、例えば収容ラックが自動販売機本体の上側に設けられている場合に、収容ラックにボトル商品を装填する際の当接部材の後方への移動が円滑に行われる。
【発明の効果】
【００１８】
本発明によれば、スライダー上のボトル商品を当接部材によって前方に向かって付勢することができるので、ボトル商品の重量や底面の摩擦係数に拘らず、ボトル商品を収容ラックから回転バケットに円滑に移動させることができる。また、収容ラックにボトル商品を装填する際の当接部材の後方への移動を円滑に行うことができるので、収容ラックへのボトル商品の装填を容易に行うことがきる。
【発明を実施するための最良の形態】
【００１９】
図１乃至図１４は本発明の一実施形態を示すもので、図１は自動販売機の斜視図、図２は収容ラックの斜視図、図３は収容ラックの平面図、図４は取付板及び駆動機構を取外した状態の収容ラックの平面図、図５は収容ラックの要部斜視図、図６はスライダー、当接部材及び回転バケットの側面図、図７はスライダー及び回転バケットの要部平面図、図８は収容ラックの背面側要部斜視図、図９は当接部材の正面図、図１０は当接部材の側面断面図、図１１は図９におけるＡ−Ａ線断面図、図１２乃至図１４は当接部材及び回転バケットの動作説明図である。
【００２０】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００２１】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、図１における右端が自動販売機本体１に支持されている。また、前面扉２の左端には開閉のための取手２ａが設けられている。
【００２２】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。
【００２３】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００２４】
前面板１２の中央部には矩形状の開口部１２ａが設けられている。また、前面板１２の上端側の背面には取付板１２ｂが設けられ、取付板１２ｂは前面板１２の背面から後方に向かって延びている。前面板１２の下端側の背面には平板状の商品受け１２ｃが設けられ、商品受け１２ｃは前面板１２の背面から後方に向かって延びている。
【００２５】
各スライダー２０は各商品通路１０ａごとに設けられ、収容ラック１０内に収容されたボトル商品Ａの底面を前方に向かって移動可能に支持している。また、各スライダー２０は、上端面を平面状に形成された合成樹脂性のスライダー本体２１と、スライダー本体２１の下面に沿って設けられた金属性の補強部材２２とを有する。
【００２６】
スライダー本体２１の上端面には複数の突状部２１ａが設けられ、各突状部２１ａは前後方向に延びるように設けられている。これにより、ボトル商品Ａとスライダー２０との摩擦抵抗が低減される。また、スライダー本体２１の上端面の幅方向中央には前後方向に延びる凹状部２１ｂが設けられている。また、スライダー２０には当接部材４０が前後方向に移動可能に係合しており、当接部材４０は付勢部材５０によって前方に向かって付勢されている。
【００２７】
スライダー本体２１の前端には第１切欠部２１ｃが設けられ、スライダー本体２１の後端には第２切欠部２１ｄが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。各支持部材６０，７０の両端部にはそれぞれ位置決めピン８０が取付けられ、位置決めピン８０によって各支持部材６０，７０が収容ラック１０に対して幅方向に位置決めされている。各スライダー２０の第１切欠部２１ｃは前端支持部材６０にそれぞれ係合し、各スライダー２０の第２切欠部２１ｄは後端支持部材７０にそれぞれ係合している。即ち、各スライダー２０は各支持部材６０，７０を介して収容ラック１０に支持されている。また、第２取付孔１１ｂは各側面板１１に複数ずつ設けられ、各第２取付孔１１ｂは互いに上下方向に間隔をおいて設けられているので、後端支持部材７０の端部を他の第２取付孔１１ｂに挿通させることにより、各スライダー２０の傾きを調整することができる。
【００２８】
スライダー本体２１には、前端側の両側面から幅方向外側に向かって突出する一対の幅方向突出部２１ｅと、後端から後方に向かって延びる一対の後方突出部２１ｆとが設けられている。各幅方向突出部２１ｅは仕切板１４または側面板１１に幅方向に係止し、各後方突出部２１ｆは背面板１３に設けられたスリット１３ａに幅方向に係止している。スリット１３ａは上下方向に延びるように形成されている。これにより、スライダー２０が収容ラック１０の仕切板１４または側面板１１に対して幅方向に位置決めされる。
【００２９】
当接部材４０は収容ラック１０に収容されてスライダー２０に載置された各ボトル商品Ａのうち最後尾のボトル商品Ａに後方から当接可能である。当接部材４０の前面はボトル商品Ａの側面に沿うように曲面状に形成され、当接部材４０の上端部４０ａは斜め後方に向かって延びるように形成されている。即ち、当接部材４０がボトル商品Ａに後方から当接すると、上端部４０ａとボトル商品Ａとの間に所定の隙間が設けられる。前記所定の隙間は指が入る程度の大きさが好ましい。また、当接部材４０の前面には把持する位置を表示する把持位置表示部４０ｂが設けられている。把持位置表示部４０ｂは当接部材の前面の一部を凹状に形成することにより設けられている。
【００３０】
当接部材４０の下端側をスライダー２０が挿通している。また、当接部材４０にはスライダー２０の上端面に上方から係合する上側係合部４０ｃと、スライダー４０の下端面に下方から係合する下側係合部４０ｄとが設けられている。上側係合部４０ｃ及び下側係合部４０ｄは前後方向に延びるように形成されている。また、下側係合部４０ｄは当接部材４０の前面側のボトル商品Ａと当接する面よりも前側に配置され（図１１参照）、上側係合部４０ｃと下側係合部４０ｄとの前後方向Ｌ１の距離がその上下方向の距離Ｌ２よりも大きくなるように構成されている。さらに、当接部材４０はスライダー２０の側面と幅方向に係合している。また、把持位置表示部４０ｂはスライダー２０よりも上側に設けられるとともに、スライダー２０に近い位置に設けられている。
【００３１】
付勢部材５０は渦巻状に巻回されたバネ鋼から成り、当接部材４０の背面側に設けられたシャフト４０ｅに回転可能に取付けられている。また、付勢部材５０は当接部材４０に取付けられた状態で一端が引き出され、その一端がスライダー２０の前端に固定されている。また、引き出された付勢部材５０はスライダー２０の凹状部２１ｂ内に位置する。これにより、当接部材４０は付勢部材５０によって前方に向かって付勢されている。
【００３２】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。載置部３１の下面には円筒状のボス３１ａが設けられ、ボス３１ａは収容ラック１０の商品受け１２ｃに回転自在に支持されている。筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転自在に係合している。
【００３３】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００３４】
駆動機構３５は周知の電動モータから成り、収容ラック１０の取付板１２ｂに固定されている。また、駆動機構３５の図示しない駆動シャフトが回転バケット３０の上部に回転方向に係合している。
【００３５】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００３６】
自動販売機本体１に装着された収容ラック１０に複数のボトル商品Ａを装填すると、各ボトル商品Ａは各商品通路１０ａ内に前後方向に並ぶように収容される。また、商品通路１０ａ内のボトル商品Ａはスライダー２０の傾斜によって前方に向かって移動する。
【００３７】
ここで、ボトル商品Ａの重量や底面の摩擦係数はボトル商品Ａの種類によって異なり、ボトル商品Ａの底面の摩擦係数が大きい場合は、ボトル商品Ａが前方に向かって移動し難い。ここで、スライダー２０には当接部材４０が前後方向に移動可能に係合し、当接部材４０は付勢部材５０によって前方に向かって付勢されている。このため、当接部材４０はスライダー２０上の各ボトル商品Ａのうち最後尾のボトル商品Ａに後方から当接し、各ボトル商品Ａは当接部材４０によって前方に向かって付勢される。
【００３８】
各ボトル商品Ａがスライダー２０上を前方に向かって移動すると、各ボトル商品Ａのうち最前のボトル商品Ａが回転バケット３０内に配置される（図１２及び図１３参照）。ここで、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出される（図１４参照）。回転バケット３０から搬出されたボトル商品Ａは前面扉２を開放することにより取出される。
【００３９】
また、収容ラック１０にボトル商品Ａを装填する場合は、前面扉２を開放するとともに、収容ラック１０を前方に向かって引き出す。また、付勢部材５０に抗して当接部材４０を後方に移動させ、ボトル商品Ａを収容ラック１０内に装填する。
【００４０】
ここで、当接部材４０はスライダー２０と幅方向に係合しており、スライダー２０は収容ラック１０の仕切板１４または側面板１１に対して幅方向に位置決めされているので、当接部材４０が仕切板１４または側面板１１に接触しないようにスライダー２０を位置決めすることにより、当接部材４０が収容ラック１０の仕切板１４または側面板１１に接触することがない。このため、当接部材４０が仕切板１４や側面板１１に接触し、その接触抵抗によって当接部材４０を後方に移動させる際の抵抗が大きくなることが防止される。即ち、収容ラック１０の仕切板１４や側面板１１に接触することによる当接部材４０の操作性の悪化を防止することができ、収容ラック１０に商品を収容する際の当接部材４０の後方への移動が円滑に行われる。
【００４１】
また、当接部材４０がスライダー２０上の最後尾のボトル商品Ａに後方から当接すると、当接部材４０の上端部４０ａとボトル商品Ａとの間に所定の隙間が設けられることから、当接部材４０がボトル商品Ａに当接している状態でも上端部４０ａを容易に把持することができる。即ち、収容ラック１０にボトル商品Ａを装填する際の当接部材４０の後方への移動が円滑に行われる。
【００４２】
また、当接部材４０の上側係合部４０ｃがスライダー２０の上端面に上方から係合するとともに、当接部材４０の下側係合部４０ｄがスライダー２０の下端面に下方から係合し、さらに、上側係合部４０ｃの後端と下側係合部４０ｄの前端との前後方向の距離Ｌ１がその上下方向の距離Ｌ２よりも大きくなるように構成されているので、スライダー２０の上下方向の厚さ寸法が有効に利用することにより、上側係合部の後端と下側係合部の前端との距離を極力大きくすることができる。このため、例えば上端部４０ａを把持して当接部材４０を後方に移動させると、当接部材４０に曲げモーメントが加わり、上側係合部４０ｃの後端側がスライダー２０の上面に押付けられるとともに、下側係合部４０ｃの前端側がスライダー２０の下面に押付けられるが、梃子の原理によって上側係合部４０ｃの後端側及び下側係合部４０ｄ前端側がスライダー２０に押付けられる押付力が小さくなる。即ち、上側係合部４０ｃ及び下側係合部４０ｄが収容ラック１０に押付けられることによる当接部材４０の操作性の悪化を防止することができ、収容ラック１０にボトル商品Ａを装填する際の当接部材４０の後方への移動が円滑に行われる。
【００４３】
このように、本実施形態によれば、スライダー２０上のボトル商品Ａを当接部材４０によって前方に向かって付勢することができるので、ボトル商品Ａの重量や底面の摩擦係数に拘らず、ボトル商品Ａを収容ラック１０から回転バケット３０に円滑に移動させることができる。また、収容ラック１０にボトル商品Ａを装填する際の当接部材４０の後方への移動を円滑に行うことができるので、収容ラック１０へのボトル商品Ａの装填を容易に行うことができる。
【００４４】
また、スライダー２０に、前端側の両側面から幅方向外側に向かって突出する一対の幅方向突出部２１ｅと、後端から後方に向かって突出する一対の後方突出部２１ｆとを設け、各幅方向突出部２１ｅが収容ラック１０の仕切板１４または側面板１１に幅方向に係止するとともに、各後方突出部２１ｆが収容ラック１０の背面板１３に幅方向に係止することにより、スライダー２０が収容ラック１０の仕切板１４または側面板１１に対して幅方向に位置決めされるようにしたので、簡単な構成によってスライダー２０の幅方向の位置決めを確実に行うことができ、製造コストの低減を図る上で極めて有利である。
【００４５】
また、当接部材４０の前面側のボトル商品Ａに当接する面よりも下側係合部４０ｄの前端の方が前方に位置しているので、当接部材４０の前後方向の寸法を全体に亘って大きくすることなく、上側係合部４０ｃの後端と下側係合部４０ｄの前端との距離Ｌを大きくすることができ、省スペース化及び製造コストの低減を図る上で極めて有利である。
【００４６】
また、当接部材４０のスライダー２０に近い位置に把持する位置を触感で確認可能な把持位置表示部４０ｂが設けられているので、収容ラック１０が自動販売機本体１の上側に設けられている場合に、当接部材４０を目視することなく上側係合部４０ｃの近傍を確実に把持することが可能である。このため、当接部材４０を後方に向かって移動させる際に当接部材４０に無用な曲げモーメントが加わることがなく、当接部材４０の移動をより円滑に行うことができる。
【００４７】
さらに、前記把持位置表示部４０ｂを当接部材４０の前面を凹状に形成することにより設けたので、把持位置表示部４０ｂを設けるための専用の部品を別途設ける必要がなく、製造コストの削減を図る上で極めて有利である。
【００４８】
尚、本実施形態では、把持位置表示部４０ｂを当接部材４０の前面を凹状に形成することにより設けたものを示したが、当接部材４０の前面を所定の文字形状に凸状に形成することにより、把持位置表示部４０ｂを設けることも可能である。
【００４９】
また、本実施形態では、当接部材４０を収容ラック１０の上方から操作するようにしたものを示したが、図１５に示すように、当接部材４０の下端に下方に向かって延びる把持部４０ｆを設けることも可能である。この場合、把持部４０ｆは収容ラック１０の下方から操作可能である。
【００５０】
これにより、収容ラック１０が自動販売機本体１に前方に向かって引き出し可能に設けられ、当接部材４０は収容ラック１０の下方から操作可能であることから、例えば収容ラック１０が自動販売機本体１の上側に設けられている場合に、収容ラック１０にボトル商品Ａを装填する際の当接部材４０の後方への移動が円滑に行われる。即ち、収容ラック１０へのボトル商品Ａの装填を容易に行うことができる。
【図面の簡単な説明】
【００５１】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】収容ラックの要部斜視図
【図６】スライダー、当接部材及び回転バケットの側面図
【図７】スライダー及び回転バケットの要部平面図
【図８】収容ラックの背面側要部斜視図
【図９】当接部材の正面図
【図１０】当接部材の側面断面図
【図１１】図９におけるＡ−Ａ線断面図
【図１２】当接部材及び回転バケットの動作説明図
【図１３】当接部材及び回転バケットの動作説明図
【図１４】当接部材及び回転バケットの動作説明図
【図１５】本実施形態の変形例を示す当接部材の側面断面図
【符号の説明】
【００５２】
１…自動販売機本体    、２…前面扉、２ａ…ガラス板、１０…収容ラック、１０ａ…商品通路、１１…側面板、１１ａ…第１取付孔、１１ｂ…第２取付孔、１１ｃ…レール、１２…前面板、１２ａ…開口部、１３…背面板、１３ａ…スリット、１４…仕切板、２０…スライダー、２１…スライダー本体、２１ｃ…第１切欠部、２１ｄ…第２切欠部、２１ｅ…幅方向突出部、２１ｆ…後方突出部、３０…回転バケット、３１…載置部、３１ａ…ボス、３２…筒状部、３２ａ…開口部、３２ｂ…ボス、３５…駆動機構、４０…当接部材、４０ａ…上端部、４０ｂ…表示部、４０ｃ…上側係合部、４０ｄ…下側係合部、５０…付勢部材、６０…前端支持部材、７０…後端支持部材、８０…位置決めピン、Ａ…ボトル商品。
【図１】
2007286748.tif 000003
【図２】
2007286748.tif 000004
【図３】
2007286748.tif 000005
【図４】
2007286748.tif 000006
【図５】
2007286748.tif 000007
【図６】
2007286748.tif 000008
【図７】
2007286748.tif 000009
【図８】
2007286748.tif 000010
【図９】
2007286748.tif 000011
【図１０】
2007286748.tif 000012
【図１１】
2007286748.tif 000013
【図１２】
2007286748.tif 000014
【図１３】
2007286748.tif 000015
【図１４】
2007286748.tif 000016
【図１５】
2007286748.tif 000017